(57)【要約】【課題】元来の音声の再現に優れた効果を達成する、二チャンネルオーディオシステムをマルチチャンネルオーディオシステムに転換する方法及びオーディオプロセッサを提供することを目的とする。【解決手段】従来のエンコーディングされない二オーディオチャンネルに対しエンコーディング及びデコーディングせずに、直接に元の二オーディオチャンネルのサウンドを各種の位相の合成処理をし、それからサールンディング配分する構成とされる。【選択図】　　　図２
2004015334.tif 000002
【特許請求の範囲】
【請求項１】
従来のエンコーディングされない二オーディオチャンネルに対しエンコーディング及びデコーディングせずに、直接に元の二オーディオチャンネルのサウンドを各種の位相の合成処理をし、それからサールンディング配分し、元来音声の再現の優れる効果を達成することを特徴とする二チャンネルオーディオシステムをマルチチャンネルオーディオシステムに転換する方法。
【請求項２】
運算アンプを備え、二オーディオチャンネルの一部が分圧器を介して前記運算アンプの“＋”端に入力すると共に、二オーディオチャンネルの他の一部が切替え装置を経てから抵抗器Ｒ３を経て前記運算アンプの“−”端に入力し、前記運算アンプの出力が抵抗器Ｒ４を経て前記運算アンプの“−”端にフィードバックされ、前記切替え装置が前記の他のオーディオチャンネルの入力をコントロールできるようにすることを特徴とする二チャンネルオーディオシステムをマルチチャンネルオーディオシステムに転換するためのオーディオプロセッサ。
【請求項３】
前記分圧器には抵抗器Ｒ１と抵抗器Ｒ２とを有し、二オーディオチャンネルのうちのいずれか一つが前記分圧器の抵抗器Ｒ１と抵抗器Ｒ２に入力され、前記分圧器の出力が抵抗器Ｒ１と抵抗器Ｒ２の接点より取り出され、それぞれの抵抗器の抵抗値間の関係がＲ１＝Ｒ４、Ｒ２＝Ｒ３となり、このような関係を有することによって前記運算アンプの“＋”端に入力されるオーディオに切替え装置の開閉の影響を受けさせないようにすることができることを特徴とする請求項２記載のオーディオプロセッサ。
【請求項４】
前記切替え装置には２つのスイッチを有し、そのうちの一つのスイッチＳＷ１がある制御信号の制御によって開閉され、他のスイッチＳＷ２がインバータを介して前記制御信号に制御されて開閉し、他のオーディオチャンネルがスイッチＳＷ１に入力されてから抵抗器Ｒ３に入力され、スイッチＳＷ２がスイッチＳＷ１と入力抵抗器Ｒ３との接続しあう箇所より伸び出してアースすることを特徴とする請求項２記載のオーディオプロセッサ。
【請求項５】
前記抵抗器Ｒ１、Ｒ２の抵抗値比及び／または抵抗器Ｒ３、Ｒ４の抵抗値比を変更することによって元来の二オーディオチャンネルを各種の比例に組成することにより、マルチオーディオチャンネルを形成でき、また、サ−ルンディング配分させると元来の音声の再現の最も優れる効果を達成できることを特徴とする請求項２記載のオーディオプロセッサ。
【請求項６】
前記運算アンプと前記分圧器と前記切替え装置と前記抵抗器と前記インバータとがすべてコンピュータソフトのディジタル模擬の方式によって実現できることを特徴とする請求項２乃至５いずれか一項記載のオーディオプロセッサ。
【発明の詳細な説明】
【０００１】
【発明の属する技術分野】
本発明は、二チャンネルオーディオシステムをマルチチャンネルオーディオシステムに転換する方法及びオーディオプロセッサに係り、特に元来の音声により各種の位相処理を行うことによって前記目的を達成する二チャンネルオーディオシステムをマルチチャンネルオーディオシステムに転換する方法及びオーディオプロセッサに関するものである。
【０００２】
【従来の技術】
近年、オーディオシステムの分野では、マルチチャンネルドルビーシステムと、それと類似するシステムが流行っており、それらのシステムは、既存のマルチチャンネルを先に二チャンネルになるようにエンコーディングしてから送信し、それから特別な設計を有するデコーダによって、元来のマルチチャンネルの信号に還元して放送している。
【０００３】
【発明が解決しようとする課題】
しかしながら、二チャンネルのサウンドソースしかない場合では、前記のシステムによって二チャンネルを入力することによりマルチチャンネルを放送しようとすると、錯誤の運算を生じ、ディストーションの結果を招くようになってしまう。そのため、二チャンネルのサウンドソースしか有しない場合、且つ、マルチチャンネル放送を実行しようとする場合、特別な設計を採用しなければならなくなるという問題点があった。
【０００４】
よって、本発明は、上記の問題点を解決し、従来のエンコーディングされない二オーディオシステムを真のマルチチャンネルオーディオシステムに転換し、エンコーディングとでコーディングをする必要がなく、元来の音声に対し各種の位相処理を実行してからサールンディング配分をし、それらの処理によって元来の音声の再現に優れた効果を達成する、二チャンネルオーディオシステムをマルチチャンネルオーディオシステムに転換する方法及びオーディオプロセッサを提供することを目的とする。
【０００５】
【課題を解決するための手段】
上記課題を解決するため、本発明は、従来のエンコーディングされない二オーディオチャンネルに対しエンコーディング及びデコーディングせずに、直接に元の二オーディオチャンネルのサウンドを各種の位相の合成処理をし、それからサールンディング配分することにより、元来音声の再現に優れた効果を達成することができる。
【０００６】
上記課題を解決するため、本発明は、運算アンプを備え、二オーディオチャンネルの一部が分圧器を介して前記運算アンプの“＋”端に入力すると共に、二オーディオチャンネルの他の一部を切替え装置を経てから抵抗器Ｒ３を経て前記運算アンプの“−”端に入力し、前記運算アンプの出力が抵抗器Ｒ４を経て前記運算アンプの“−”端にフィードバックされることにより、前記切替え装置が前記の他のオーディオチャンネルの入力をコントロールすることができる。
【０００７】
上記課題を解決するため、本発明は、前記分圧器には抵抗器Ｒ１と抵抗器Ｒ２とを有し、二オーディオチャンネルのうちのいずれか一つが前記分圧器の抵抗器Ｒ１と抵抗器Ｒ２に入力され、前記分圧器の出力が抵抗器Ｒ１と抵抗器Ｒ２の接点より取り出され、それぞれの抵抗器の抵抗値間の関係がＲ１＝Ｒ４、Ｒ２＝Ｒ３とすることにより、このような関係を有することによって前記運算アンプの“＋”端に入力されるオーディオに切替え装置の開閉の影響を受けさせないようにすることができる。
【０００８】
上記課題を解決するため、本発明は、前記切替え装置には２つのスイッチを有し、そのうちの一つのスイッチＳＷ１がある制御信号の制御によって開閉され、他のスイッチＳＷ２がインバータを介して前記制御信号に制御されて開閉し、他のオーディオチャンネルがスイッチＳＷ１に入力されてから抵抗器Ｒ３に入力され、スイッチＳＷ２がスイッチＳＷ１と入力抵抗器Ｒ３との接続しあう箇所より伸び出してアースすることにより、マルチオーディオチャンネルを形成することができ、元来の音声の再現に最も優れた効果を達成できる。
【０００９】
上記課題を解決するため、本発明は、前記抵抗器Ｒ１、Ｒ２の抵抗値比及び／または抵抗器Ｒ３、Ｒ４の抵抗値比を変更することによって元来の二オーディオチャンネルを各種の比例に組成することにより、マルチオーディオチャンネルを形成することができる。また、サ−ルンディング配分させると、元来の音声の再現に最も優れた効果を達成できる。
【００１０】
上記課題を解決するため、本発明は、前記運算アンプと前記分圧器と前記切替え装置と前記抵抗器と前記インバータとがすべてコンピュータソフトのディジタル模擬の方式によって実現できることにより、マルチオーディオチャンネルを形成することができ、元来の音声の再現に最も優れた効果を達成できる。
【００１１】
以下に添付図面を参照して本発明のある好適な実施の形態を詳細に説明するが、それらの構成は本発明の構造の絶対的な制限にならない。
【００１２】
【発明の実施の形態】
図１は、本発明の二チャンネルオーディオシステムをマルチチャンネルオーディオシステムに転換する場合のサ−ルディング配置を示す説明図である。図１において、ユーザー１が中央に位置した状態で、九つのオーディオ装置１０〜１８がサールンディング配置されている。それぞれのオーディオ装置は、ＣＴ１０、Ｌ１１、ＣＲＬ１２、ＲＬ１３、ＲＣＴ１４、ＲＲ１５、ＣＲＲ１６、Ｒ１７、ＳＵＢ１８である。
【００１３】
それぞれのオーディオ装置１０〜１８には、すべて従来の二チャンネル音声Ｌｉｎ（左チャンネル音声を代表する）とＲｉｎ（右チャネル音声を代表する）が入力され、特別に設計されるオーディオプロセッサ電気回路２（図２参照）を介して独自の特別な出力が生成される。
【００１４】
九つのオーディオ装置１０〜１８の特別な出力は下記の通りである。
（１）ＣＴ：Ｌｉｎ＋Ｒｉｎ
（２）Ｌ：Ｌｉｎ
（３）ＣＲＬ：２Ｌｉｎ−（１／２）Ｒｉｎ
（４）ＲＬ：２Ｌｉｎ−Ｒｉｎ
（５）ＲＣＴ：Ｌｉｎ＋Ｒｉｎ
（６）ＲＲ：２Ｒｉｎ−Ｌｉｎ
（７）ＣＲＲ：２Ｒｉｎ−（１／２）Ｌｉｎ
（８）Ｒ：Ｒｉｎ
（９）ＳＵＢ：（Ｌｉｎ＋Ｒｉｎ）×ＬＰＦ
そのうち、Ｌｉｎが左チャンネル音声を代表すると共に、Ｒｉｎが右チャンネル音声を代表し、ＬＰＦがローパスフィルタである。九つのオーディオ装置が相互の間に生成されるオーディオ効果が図に示すようにそれぞれ２Ｌｉｎ＋Ｒｉｎ、３Ｌｉｎ−（１／２）Ｒｉｎ、４Ｌｉｎ−（１＋１／２）Ｒｉｎ、３Ｌｉｎ、３Ｒｉｎ、４Ｒｉｎ−（１＋１／２）Ｌｉｎ、３Ｒｉｎ−（１／２）Ｌｉｎ、２Ｒｉｎ＋Ｌｉｎ及び中間の２Ｌｉｎ＋２Ｒｉｎである。
【００１５】
図２は、本発明のオーディオプロセッサの構成を示す電気回路図である。図２の電気回路図に示すように、左チャンネル音声Ｌｉｎと右チャンネル音声Ｒｉｎとがそれぞれ抵抗器を介して運算アンプ（又はオペアンプ）ＯＰ１、ＯＰ２に入力される。電気回路図の中間部には、制御信号ＣＴＲＬを有する。それにより、４つの切替え装置ＳＷ１、ＳＷ２、ＳＷ３、ＳＷ４を制御し、且つインバータＩＮが設けられている。
【００１６】
制御信号ＣＴＲＬが低電位である場合にＳＷ１が断路し、ＳＷ２が導通する。この時、右チャンネル音声ＲｉｎがＯＰ１に入力できず、作用しない状態となり、ＯＰ１が端に左チャンネル音声Ｌｉｎの影響を受ける。この際、運算アンプの原理において、Ｂ点の電位ＬｏｕｔがＡ点電位×（Ｒ３＋Ｒ４）／Ｒ３となる。且つ、図２に示すようにＡ点電位がＬｉｎ×Ｒ２／（Ｒ１＋Ｒ２）となる。そのため、Ｌｏｕｔ＝Ｌｉｎ×Ｒ２／（Ｒ１＋Ｒ２）×（Ｒ３＋Ｒ４）／Ｒ３＝Ｌｉｎになる。
【００１７】
制御信号ＣＴＲＬが高電位である場合に、ＳＷ１が導通し、ＳＷ２が断路し、この時の右チャンネル音声Ｒｉｎが抵抗器Ｒ３を経てＯＰ１の“−”端に入力される。この際、運算アンプの原理において、右チャンネル音声ＲｉｎがＢ点で生じる出力効果はＲｉｎ×（−）Ｒ４／Ｒ３＝−１／２Ｒｉｎとなる。左チャンネル音声ＬｉｎのがＢ点での出力効果は前記のＬｉｎと同様になる。そのため、Ｂ点での合成電位がＬｏｕｔ＝Ｌｉｎ−１／２Ｒｉｎになる。
【００１８】
前記のオーディオプロセッサ電気回路中において特別な設計によってＲ１＝Ｒ４、Ｒ２＝Ｒ３になるようにするため、左チャンネル音声Ｌｉｎが元来の音声によってＬｏｕｔにて表現できる。例えば、右チャンネル音声Ｒｉｎに影響を与えようとする場合、単に制御信号ＣＴＲＬの電位を変更すればよく、そのため、ユーザー１は右チャンネルに加入される音声Ｒｉｎの効果をはっきりと分別できる。
【００１９】
前記のオーディオプロセッサ電気回路中において、Ｌｏｕｔ＝Ｌｉｎになるが、Ｒ１とＲ２の比を変更すると、ＬｏｕｔにおけるＬｉｎの前方の係数を変更できるようになる。また、Ｒ３とＲ４の比を変更すると、ＬｏｕｔにおけるＲｉｎの前方の係数を変更できるようになる。
【００２０】
同じように、制御信号ＣＴＲＬが低電位である場合、ＳＷ３が断路し、ＳＷ４が導通する。この時、左チャンネル音声ＬｉｎがＯＰ２に入力できず、作用しない状態となり、ＯＰ２が端に左チャンネル音声Ｌｉｎの影響を受ける。この際、運算アンプの原理において、Ｄ点の電位ＲｏｕｔがＣ点電位×（Ｒ７＋Ｒ８）／Ｒ７となる。且つ、図２に示すようにＣ点電位がＲｉｎ×Ｒ６／（Ｒ５＋Ｒ６）となる。そのため、Ｒｏｕｔ＝Ｒｉｎ×Ｒ６／（Ｒ５＋Ｒ６）×（Ｒ７＋Ｒ８）／Ｒ７＝Ｒｉｎになる。
【００２１】
制御信号ＣＴＲＬが高電位である場合に、ＳＷ３が導通し、ＳＷ４が断路し、この時の左チャンネル音声Ｌｉｎが抵抗器Ｒ７を経てＯＰ２の“−”端に入力される。この際、運算アンプの原理において、左チャンネル音声ＬｉｎがＤ点で生じる出力効果はＬｉｎ×（−）Ｒ８／Ｒ７＝−１／２Ｌｉｎとなる。右チャンネル音声ＲｉｎがＤ点での出力効果は前記のＲｉｎと同様になる。そのため、Ｄ点での合成電位がＲｏｕｔ＝Ｒｉｎ−１／２Ｌｉｎになる。
【００２２】
前記のオーディオプロセッサ電気回路中に、特別な設計によってＲ５＝Ｒ８、Ｒ６＝Ｒ７になるため、右チャンネル音声Ｒｉｎが元来の音声でＲｏｕｔで表現できる。例えば、左チャンネル音声Ｌｉｎに影響を与えようとする場合、単に制御信号ＣＴＲＬの電位を変更すればよく、そのため、ユーザー１は左チャンネルに加入される音声Ｌｉｎの効果をはっきりと分別できる。
【００２３】
前記のオーディオプロセッサ電気回路中において、Ｒｏｕｔ＝Ｒｉｎになるが、Ｒ５とＲ６の比を変更すると、ＲｏｕｔにおけるＲｉｎの前方の係数を変更できるようになる。また、Ｒ７とＲ８の比を変更すると、ＲｏｕｔにおけるＬｉｎの前方の係数を変更できるようになる。
【００２４】
図１に示すように、九つのオーディオ装置の特別な出力の中では、ＬｉｎとＲｉｎの前方の係数がそれぞれ異なっており、それは関連する抵抗器の抵抗値を変更することによって得られる結果である。
【００２５】
本発明において、前記運算アンプと前記分圧器と前記切替え装置と前記抵抗器と前記インバータとがすべてコンピュータソフトのディジタル模擬の方式によって実現できる。
【００２６】
本発明は前記の説明の内容のみに狭義的に限定されるものではなく、本発明の請求の範囲の要旨に基づいて実施する全ての変更も本発明の主張範囲内に適応可能である。
【００２７】
【発明の効果】
本発明の二チャンネルオーディオシステムをマルチチャンネルオーディオシステムに転換する方法によれば、従来のエンコーディングされない二オーディオチャンネルに対しエンコーディング及びデコーディングせずに、直接に元の二オーディオチャンネルのサウンドを各種の位相の合成処理をし、それからサールンディング配分することにより、元来音声の再現に優れた効果を達成することができる。
【００２８】
本発明のオーディオプロセッサによれば、運算アンプを備え、二オーディオチャンネルの一部が分圧器を介して前記運算アンプの“＋”端に入力すると共に、二オーディオチャンネルの他の一部を切替え装置を経てから抵抗器Ｒ３を経て前記運算アンプの“−”端に入力し、前記運算アンプの出力が抵抗器Ｒ４を経て前記運算アンプの“−”端にフィードバックされることにより、前記切替え装置が前記の他のオーディオチャンネルの入力をコントロールすることができる。
【００２９】
また、本発明のオーディオプロセッサによれば、前記分圧器には抵抗器Ｒ１と抵抗器Ｒ２とを有し、二オーディオチャンネルのうちのいずれか一つが前記分圧器の抵抗器Ｒ１と抵抗器Ｒ２に入力され、前記分圧器の出力が抵抗器Ｒ１と抵抗器Ｒ２の接点より取り出され、それぞれの抵抗器の抵抗値間の関係がＲ１＝Ｒ４、Ｒ２＝Ｒ３とすることにより、前記運算アンプの“＋”端に入力されるオーディオに切替え装置の開閉の影響を受けさせないようにすることができる。
【００３０】
また、本発明のオーディオプロセッサによれば、前記切替え装置には２つのスイッチを有し、そのうちの一つのスイッチＳＷ１がある制御信号の制御によって開閉され、他のスイッチＳＷ２がインバータを介して前記制御信号に制御されて開閉し、他のオーディオチャンネルがスイッチＳＷ１に入力されてから抵抗器Ｒ３に入力され、スイッチＳＷ２がスイッチＳＷ１と入力抵抗器Ｒ３との接続しあう箇所より伸び出してアースすることにより、マルチオーディオチャンネルを形成することができ、元来の音声の再現に最も優れた効果を達成できる。
【００３１】
また、本発明のオーディオプロセッサによれば、前記抵抗器Ｒ１、Ｒ２の抵抗値比及び／または抵抗器Ｒ３、Ｒ４の抵抗値比を変更することによって元来の二オーディオチャンネルを各種の比例に組成することにより、マルチオーディオチャンネルを形成することができる。また、サ−ルンディング配分させると、元来の音声の再現に最も優れた効果を達成できる。
【００３２】
また、本発明のオーディオプロセッサによれば、前記運算アンプと前記分圧器と前記切替え装置と前記抵抗器と前記インバータとがすべてコンピュータソフトのディジタル模擬の方式によって実現できることにより、マルチオーディオチャンネルを形成することができ、元来の音声の再現に最も優れた効果を達成できる。
【図面の簡単な説明】
【図１】本発明の二チャンネルオーディオシステムをマルチチャンネルオーディオシステムに転換する場合のサ−ルディング配置を示す説明図である。
【図２】本発明のオーディオプロセッサの構成を示す電気回路図である。
【符号の説明】
１　　ユーザー
２　　オーディオプロセッサ電気回路
１０〜１８　オーディオ装置
ＳＷ１、ＳＷ２、ＳＷ３、ＳＷ４　切替え装置
ＯＰ１、ＯＰ２　運算アンプ
ＩＮ　インバータ
【図１】
2004015334.tif 000003
【図２】
2004015334.tif 000004